(57)【特許請求の範囲】
【請求項１】
所定の最大電流値以下の電流を出力可能な複数の電源装置と、
各前記電源装置の出力電流を合流させ、当該合流させた電流を試験電流として負荷に入出力させる第一合流部と、
前記試験電流の電流値である試験電流値の指定を受け付ける受付部と、
前記受付部が受け付けた前記試験電流値と各前記電源装置の前記最大電流値とに基づき、電流を出力させる対象の一以上の前記電源装置である対象電源装置と、各前記対象電源装置に出力させる電流の電流値である個別電流値と、を設定する装置設定部と、
を備え、
前記複数の電源装置のうち少なくとも一の電源装置は、
所定の第一最大電流値以下の電流値の電流を出力可能な第一電源回路と、
前記第一最大電流値以上の所定の第二最大電流値以下の電流を出力可能な第二電源回路と、
前記第一電源回路及び前記第二電源回路の出力電流を合流させ、当該合流させた電流を当該電源装置の出力電流として出力させる第二合流部と、
を備え、
前記少なくとも一の電源装置の前記個別電流値が前記第一最大電流値以下の所定の第一電流値以下である場合は、前記個別電流値を、前記第一電源回路に出力させる電流の電流値として設定し、
前記少なくとも一の電源装置の前記個別電流値が前記第一電流値よりも大きい場合は、前記第一最大電流値及び前記第二最大電流値によって前記個別電流値をそれぞれ比例配分して得られる各電流値を、前記第一電源回路及び前記第二電源回路のそれぞれに出力させる電流の電流値として設定する回路設定部を更に備える試験装置。
【請求項２】
前記第一電流値は、前記第一最大電流値の半分以上且つ前記第一最大電流値以下である請求項１に記載の試験装置。
【請求項３】
各前記電源装置の前記最大電流値は同一であり、
前記装置設定部は、
当該最大電流値以下の所定の第二電流値によって前記試験電流値を除算した結果を示す商を小数点以下で切り上げ、当該切り上げ後の商が示す台数の前記電源装置を前記対象電源装置とし、
前記台数によって前記試験電流値を除算した結果を示す商を、各前記対象電源装置の前記個別電流値とする請求項１又は２に記載の試験装置。
【請求項４】
前記第二電流値は、前記最大電流値の半分以上且つ前記最大電流値以下である請求項３に記載の試験装置。
【請求項５】
前記受付部は、前記試験電流値に代えて、前記負荷に給電する又は放電させる電力の電力値である試験電力値の指定を受け付け可能であり、
前記装置設定部は、前記受付部が前記試験電力値を受け付けた場合、前記負荷に当該試験電力値の電力を給電する又は放電させるときの当該負荷の電圧値を示す所定の負荷電圧値によって前記試験電力値を除算した結果を示す商を前記試験電流値とする請求項１から４の何れか一項に記載の試験装置。
【発明の詳細な説明】
【技術分野】
【０００１】
本発明は、複数の電源装置の出力電流を合流した電流を負荷に入出力させ、負荷の動作特性の試験を行う試験装置に関するものである。
【背景技術】
【０００２】
従来から、下記特許文献１に記載のように、複数の電源装置の出力電流を合流させ、当該合流させた合流電流を負荷へ供給する技術が知られている。
【０００３】
また、上記合流電流を試験電流として、負荷に向かう方向又はその逆方向へ出力することによって負荷に試験電流を入力し又は負荷に試験電流を出力させ、このときの負荷の出力電圧等を検出して負荷の動作特性を試験する試験装置が知られている。当該試験装置は、例えば、充放電可能な二次電池を負荷とし、当該二次電池の充放電特性を試験するため等に利用されている。
【先行技術文献】
【特許文献】
【０００４】
【特許文献１】特開平９−１４９６５３号公報
【発明の概要】
【発明が解決しようとする課題】
【０００５】
しかし、上記の従来の試験装置を用いて試験を行う場合、試験者は、負荷に入出力させる試験電流の電流値（以下、試験電流値）とともに、複数の電源装置の中から電流を出力させる対象の電源装置（以下、対象電源装置）を設定し、また、各対象電源装置に出力させる電流の電流値（以下、個別電流値）を設定する必要があった。
【０００６】
また、上記試験装置で使用される電源装置は、一般的に、出力可能な最大の電流の電流値（以下、最大電流値）が異なる一以上の電源回路を備え、各電源回路の出力電流を合流させた電流を当該電源装置の出力電流として出力する構成となっている。また、上記各電源回路は、一般的に、当該各電源回路の最大電流値に近い電流を出力する場合に、応答速度が最も速く且つ電流の出力精度が最も良くなるように最適化されている。
【０００７】
つまり、上記試験装置で使用される電源装置は、上記構成を採用することで、設定された個別電流値に応じて電流を出力させる対象の電源回路（以下、対象電源回路）を適切に選択し、各対象電源回路に最適な電流値の電流を出力させることが可能となっている。しかし、試験者は、上記設定に加えて、対象電源回路及び各対象電源回路に出力させる電流値をも設定する必要があった。
【０００８】
このため、例えば、自動車等に搭載される二次電池の充放電特性を試験する場合等、数千から数万にも及ぶ試験電流値の電流を１０ミリ秒から数秒程度の短期間で切り替え、パルス状の試験電流を負荷に入出力させる試験を行う場合、試験者が上記指定を行う手間が甚大になるという問題があった。
【０００９】
また、各対象電源回路に出力させる電流の電流値として、最大電流値からかけ離れた電流値が試験者によって指定された場合、各対象電源回路が、応答速度及び出力精度の低下した状態で電流を出力することとなり、精度の良い試験を行えない虞があった。
【００１０】
本発明は、上記事情に鑑みてなされた発明であり、試験電流を負荷に入出力させる試験を迅速且つ精度良く実施することができる試験装置を提供することを目的とする。
【課題を解決するための手段】
【００１１】
本発明による試験装置は、所定の最大電流値以下の電流を出力可能な複数の電源装置と、各前記電源装置の出力電流を合流させ、当該合流させた電流を試験電流として負荷に入出力させる第一合流部と、前記試験電流の電流値である試験電流値の指定を受け付ける受付部と、前記受付部が受け付けた前記試験電流値と各前記電源装置の前記最大電流値とに基づき、電流を出力させる対象の一以上の前記電源装置である対象電源装置と、各前記対象電源装置に出力させる電流の電流値である個別電流値と、を設定する装置設定部と、を備え、前記複数の電源装置のうち少なくとも一の電源装置は、所定の第一最大電流値以下の電流値の電流を出力可能な第一電源回路と、前記第一最大電流値以上の所定の第二最大電流値以下の電流を出力可能な第二電源回路と、前記第一電源回路及び前記第二電源回路の出力電流を合流させ、当該合流させた電流を当該電源装置の出力電流として出力させる第二合流部と、を備え、前記少なくとも一の電源装置の前記個別電流値が前記第一最大電流値以下の所定の第一電流値以下である場合は、前記個別電流値を、前記第一電源回路に出力させる電流の電流値として設定し、前記少なくとも一の電源装置の前記個別電流値が前記第一電流値よりも大きい場合は、前記第一最大電流値及び前記第二最大電流値によって前記個別電流値をそれぞれ比例配分して得られる各電流値を、前記第一電源回路及び前記第二電源回路のそれぞれに出力させる電流の電流値として設定する回路設定部を更に備える。
【００１２】
本構成によれば、試験電流値及び各電源装置の最大電流値とに基づき、対象電源装置と各対象電源装置に出力させる電流の電流値である個別電流値とが設定される。このため、試験者は、従来のような対象電源装置及び当該対象電源装置の個別電流値を指定する手間をかけずに、試験電流を負荷に入出力させる試験を迅速に実施することができる。
【００１３】
また、本構成によれば、第一及び第二電源回路を備える電源装置が対象電源装置として設定され、当該対象電源装置の個別電流値が第一最大電流値以下の所定の第一電流値以下である場合は、第一電源回路のみによって個別電流値の電流が出力される。
【００１４】
このため、第一電源回路のみによって出力可能な個別電流値の電流を当該対象電源装置に出力させるために、第一及び第二電源回路が各自の最大電流値からかけ離れた小さい電流値の電流を出力する虞を軽減することができる。これにより、第一及び第二電源回路が最適化された状態ではない応答速度及び出力精度の低下した状態で電流を出力する虞を軽減することができる。その結果、精度の良い試験が実施できなくなる虞を軽減することができる。
【００１５】
一方、当該対象電源装置の個別電流値が第一電流値よりも大きい場合、第一及び第二電源回路の最大電流値によって個別電流値を比例配分して得られる各電流値の電流が、第一及び第二電源回路によってそれぞれ出力される。
【００１６】
このため、第一及び第二電源回路が電流を出力するときの動作負荷が均一となり、各電源回路の応答速度及び出力精度が均一となる。これにより、第一及び第二電源回路の出力電流を合流させた試験電流の電流値が試験電流値になるまでの応答時間を短縮し、且つ、滑らかに変化する精度の良い試験電流を負荷に入出力させることができる。その結果、精度の良い試験を実施することができる。
【００１７】
以上の通り、本構成によれば、試験電流を負荷に入出力させる試験を迅速且つ精度良く実施することができる。
【００１８】
また、前記第一電流値は、前記第一最大電流値の半分以上且つ前記第一最大電流値以下であることが好ましい。
【００１９】
本構成によれば、第一及び第二電源回路を備える電源装置が対象電源装置として設定された場合に、当該電源装置の個別電流値が第一電流値の下限値である第一最大電流値の半分以下であるときは、第二電源回路に電流を出力させず、第一電源回路のみに電流を出力させることができる。
【００２０】
これにより、第一電流値の下限値である第一最大電流値の半分以下の個別電流値を当該電源装置に出力させるために、第一及び第二電源回路が各自の最大電流値からかけ離れた小さい電流値の電流を出力する虞を軽減することができる。その結果、第一及び第二電源回路が応答速度及び出力精度の低下した状態で電流を出力する虞を軽減することができる。
【００２１】
また、各前記電源装置の前記最大電流値は同一であり、前記装置設定部は、当該最大電流値以下の所定の第二電流値によって前記試験電流値を除算した結果を示す商を小数点以下で切り上げ、当該切り上げ後の商が示す台数の前記電源装置を前記対象電源装置とし、前記台数によって前記試験電流値を除算した結果を示す商を、各前記対象電源装置の前記個別電流値としてもよい。
【００２２】
本構成によれば、各電源装置の最大電流値が同一である場合、試験電流値を第二電流値で除算した結果を示す商を小数点以下で切り上げるだけで、迅速に対象電源装置の台数を算出することができる。これにより、当該台数の対象電源装置を迅速に設定することができる。また、当該台数によって試験電流値を除算するだけで、当該設定された各対象電源装置の個別電流値を迅速に算出することができる。
【００２３】
また、各対象電源装置の個別電流値は、試験電流値を第二電流値で除算した結果以上の値によって試験電流値を除算した結果を示す商であるため、必ず第二電流値以下となる。つまり、本構成によれば、各対象電源装置の個別電流値が、第二電流値の上限値である当該各対象電源装置の最大電流値よりも大きい値にならないよう、各対象電源装置の個別電流値を適切に設定することができる。
【００２４】
また、前記第二電流値は、前記最大電流値の半分以上且つ前記最大電流値以下であることが好ましい。
【００２５】
上述のように、各電源装置の最大電流値が同一である場合、対象電源装置の台数は、試験電流値を第二電流値で除算した結果を小数点以下で切り上げた値となる。つまり、第二電流値が大きい程、対象電源装置の台数は少なくなる。また、対象電源装置の個別電流値は、対象電源装置の台数によって試験電流値を除算した結果として算出されるので、対象電源装置の台数が少ない程、当該個別電流値は大きくなる。
【００２６】
本構成によれば、第二電流値が各電源装置の最大電流値の半分以上且つ当該最大電流値以下であるので、第二電流値が当該最大電流値の半分未満である場合に比して、対象電源装置の台数を少なくすることができる。これにより、第二電流値が上記最大電流値の半分未満である場合に比して、対象電源装置の個別電流値を大きくすることができる。その結果、第二電流値が上記最大電流値の半分未満である場合に比して最適な状態に近い状態で、各対象電源装置に個別電流値の電流を出力させることができる。
【００２７】
また、前記受付部は、前記試験電流値に代えて、前記負荷に給電する又は放電させる電力の電力値である試験電力値の指定を受け付け可能であり、前記装置設定部は、前記受付部が前記試験電力値を受け付けた場合、前記負荷に当該試験電力値の電力を給電する又は放電させるときの当該負荷の電圧値を示す所定の負荷電圧値によって前記試験電力値を除算した結果を示す商を前記試験電流値としてもよい。
【００２８】
本構成によれば、試験電流値に代えて試験電力値が指定された場合でも、当該指定された試験電力値を所定の負荷電圧値で除算した結果を試験電流値とし、当該試験電流値の試験電流を負荷に入出力させる試験を実施することができる。つまり、当該試験電流値の試験電流を、負荷電圧値の電圧で動作すると考えられる負荷に入出力させることで、当該試験電流値と負荷電圧値との積が示す試験電力値の電力を当該負荷に給電する又は放電させる試験を実施することができる。
【発明の効果】
【００２９】
本発明によれば、試験電流を負荷に入出力させる試験を迅速且つ精度良く実施することができる試験装置を提供することができる。
【図面の簡単な説明】
【００３０】
【図１】試験装置の概略構成図である。
【図２】（Ａ）は、試験電流を負荷に入力する試験パターンの一例を示す図であり、（Ｂ）は、試験電流を負荷に出力させる試験パターンの一例を示す図であり、（Ｃ）は、試験電力を負荷に放電させる試験パターンの一例を示す図である。
【図３】第一実施形態における試験装置の動作を示すフローチャートである。
【図４】第一実施形態における各試験の試験電流値と各電源回路の出力電流の電流値との関係の一例を示す図である。
【図５】第二実施形態における試験装置の動作を示すフローチャートである。
【図６】第二実施形態における試験の試験電流値と各電源回路の出力電流の電流値との関係の一例を示す図である。
【発明を実施するための形態】
【００３１】
（第一実施形態）
以下、本発明に係る試験装置の第一実施形態として、自動車等に搭載される二次電池（負荷）の充放電特性の試験を行う試験装置について説明する。図１は、試験装置１の概略構成図である。
【００３２】
図１に示すように、試験装置１は、操作表示部２０、インターフェイス部３０、記憶部４０、電源部９０、検出部５０、及び制御部１０を備えている。また、試験装置１は、電線ＰＬを介して試験対象の二次電池Ｌ（負荷）と着脱可能に接続されている。
【００３３】
操作表示部２０は、液晶ディスプレイ等の表示部２１と、試験者に試験装置１の操作を行わせるための操作部２２と、を備えている。操作部２２は、表示部２１に表示されたソフトキーのタッチ操作を行わせるための不図示のタッチパネル装置等を備えている。
【００３４】
インターフェイス部３０は、制御部１０がＬＡＮ（Ｌｏｃａｌ  Ａｒｅａ  Ｎｅｔｗｏｒｋ）やインターネット等のネットワークを介してパソコン等の外部装置と通信するための不図示の通信インターフェイス回路を備えている。
【００３５】
また、インターフェイス部３０は、ＵＳＢ（Ｕｎｉｖｅｒｓａｌ  Ｓｅｒｉａｌ  Ｂｕｓ）メモリー等の外部記憶装置が着脱可能な不図示のコネクター及び制御部１０が当該コネクターに装着された外部記憶装置と通信するための不図示の外部インターフェイス回路を備えている。
【００３６】
記憶部４０は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成されている。
【００３７】
電源部９０は、所定の最大電流値以下の電流を出力可能なＺ（≧１）個の電源装置９１〜９Ｚと、切替部９０１（第一合流部）と、を備えている。第一実施形態では、Ｚ個の電源装置９１〜９Ｚは全て同じ構成であるものとする。以下、Ｚ個の電源装置９１〜９Ｚを代表して、電源装置９１の構成について説明する。
【００３８】
電源装置９１は、所定の第一最大電流値Ｍ１１以下の電流を出力可能な第一電源回路９１１と、第一最大電流値Ｍ１１以上の所定の第二最大電流値Ｍ１２以下の電流を出力可能な第二電源回路９１２と、を備えている。第一実施形態では、第一最大電流値Ｍ１１が「５Ａ」であるとし、第二最大電流値Ｍ１２が「４５Ａ」であるとする。
【００３９】
第一及び第二電源回路９１１、９１２は、公知の定電流回路によって構成され、制御部１０によって設定された電流値の電流を出力する。また、第一及び第二電源回路９１１、９１２は、各自の最大電流値「５Ａ」、「４５Ａ」に近い電流値の電流を出力する場合に、最も応答速度が速く且つ精度が良くなるように最適化されている。
【００４０】
電源装置９１は、第一電源回路９１１の出力電流と、第二電源回路９１２の出力電流と、を合流部９１ｘ（第二合流部）で合流させ、当該合流させた電流を電源装置９１の出力電流として出力する構成となっている。つまり、電源装置９１の最大電流値Ｍは、第一最大電流値Ｍ１１「５Ａ」と第二最大電流値Ｍ１２「４５Ａ」との和が示す「５０Ａ」となっている。
【００４１】
切替部９０１は、各電源装置９１〜９Ｚの出力電流を合流させる不図示の合流部と、当該合流部で合流させた電流を二次電池Ｌに向かう方向又はその逆方向に出力するための不図示の二つの電流経路を備えている。また、切替部９０１は、制御部１０による制御の下、各電源装置９１〜９Ｚの出力電流を合流させた電流の出力先を、上記二つの電流経路の何れか一方に切り替える不図示の切替スイッチを備えている。
【００４２】
つまり、切替部９０１は、各電源装置９１〜９Ｚの出力電流を合流させた電流を試験電流とし、制御部１０による制御の下、切替スイッチによって当該試験電流の出力先を上記二つの電流経路の何れか一方に切り替える。
【００４３】
これにより、切替部９０１は、二次電池Ｌに向かう方向（以下、＋方向）に試験電流を出力することで試験電流を二次電池Ｌに入力し、又は、二次電池Ｌに向かう方向とは逆方向（以下、−方向）に試験電流を出力することで試験電流を二次電池Ｌに出力させる。以下、試験電流を二次電池Ｌに入力する、又は、試験電流を二次電池Ｌに出力させることを、試験電流を二次電池Ｌに入出力させると記載する。
【００４４】
検出部５０は、不図示の電圧センサー及び電流センサーを備えている。当該電圧センサーは、電線ＰＬに印加されている二次電池Ｌの出力電圧の電圧値を検出し、検出した電圧値を制御部１０へ出力する。当該電流センサーは、電線ＰＬに流れる二次電池Ｌの出力電流の電流値を検出し、検出した電流値を制御部１０へ出力する。
【００４５】
制御部１０は、試験装置１の各部の動作を制御する。具体的には、制御部１０は、所定の演算処理を実行する不図示のＣＰＵ（Ｃｅｎｔｒａｌ  Ｐｒｏｃｅｓｓｉｎｇ  Ｕｎｉｔ）、所定の制御プログラムが記憶されたＥＥＰＲＯＭ等の不図示の不揮発性メモリー、データを一時的に記憶するための不図示のＲＡＭ（Ｒａｎｄｏｍ  Ａｃｃｅｓｓ  Ｍｅｍｏｒｙ）、現在日時を計時する不図示のタイマー回路、及びこれらの周辺回路等を備えている。
【００４６】
制御部１０は、不揮発性メモリー等に記憶された制御プログラムをＣＰＵに実行させることにより、受付部１１、装置設定部１２、回路設定部１３及び実行部１４として動作する。
【００４７】
受付部１１は、試験の実行指示を受け付ける。
【００４８】
具体的には、試験者は、試験を実行する場合、操作表示部２０を用いて、試験パターンファイルが記憶されているパソコンやＵＳＢメモリー等の記憶装置の記憶領域を示すアドレス情報を入力後、試験の実行指示を入力する。試験パターンファイルとは、一以上の試験を実行順に定義した試験パターンが記載された電子ファイルである。
【００４９】
受付部１１は、上記実行指示が入力されると、インターフェイス部３０を用い、上記アドレス情報が示す記憶領域から試験パターンファイルを取得し、当該取得した試験パターンファイルをＲＡＭに記憶する。これにより、受付部１１は、当該試験パターンファイルに記載された試験パターンで定義されている各試験の実行指示を受け付ける。
【００５０】
以下、試験パターンについて説明する。図２（Ａ）は、試験電流を二次電池Ｌに入力する試験パターンの一例を示す図である。試験電流を二次電池Ｌに入力する試験パターンは、図２（Ａ）に示すように、試験パターンを識別するための識別情報（第一列欄）と、当該試験パターンに含まれる各試験の実行順（第二列欄）と、各試験のモード（第三列欄）と、各試験の実行時間（第四列欄）と、各試験で用いる試験電流の電流値（以下、試験電流値）（第五列欄）と、試験電流の出力方向（第六列欄）と、を対応付けた表で定義される。
【００５１】
例えば、実行順「１」が示す一番目に行う試験では、モード「定電流」の試験を実行時間「Ｈ１１」の間実行し、当該試験では試験電流値「Ｉ１１」の試験電流を「＋」方向に出力することが定義されている。尚、モード「定電流」は、定電流モードの試験を示している。定電流モードの試験とは、試験者によって指定された試験電流値の試験電流を二次電池Ｌに入出力させる試験である。即ち、当該試験では、試験電流値「Ｉ１１」の試験電流を二次電池Ｌに向かう「＋」方向に実行時間「Ｈ１１」の間出力することで、当該試験電流を二次電池Ｌに入力する試験を実施することが定義されている。
【００５２】
図２（Ｂ）は、試験電流を二次電池Ｌに出力させる試験パターンの一例を示す図である。試験電流を二次電池Ｌに出力させる試験パターンは、図２（Ｂ）に示すように、図２（Ａ）と同様の表で定義され、試験電流の出力方向（第六列欄）が「−」方向を示している点が異なっている。例えば、実行順「１」が示す一番目に行う試験では、電流値「Ｉ２１」の試験電流を二次電池Ｌに向かう「＋」方向とは逆の「−」方向に実行時間「Ｈ２１」の間出力することで、当該試験電流を二次電池Ｌに出力させる試験を実施することが定義されている。
【００５３】
このように、受付部１１は、試験電流を二次電池Ｌに入出力させる試験パターンが記載された試験パターンファイルをＲＡＭに記憶することで、当該試験パターンに含まれる各試験で用いる試験電流値の指定を受け付ける。
【００５４】
また、受付部１１は、指定された電力値（以下、試験電力値）の電力（以下、試験電力）を二次電池Ｌに給電する又は放電させる試験の実行指示を受け付け可能となっている。
【００５５】
図２（Ｃ）は、試験電力を二次電池Ｌに放電させる試験パターンの一例を示す図である。試験電力を二次電池Ｌに放電させる試験パターンは、図２（Ｃ）に示す表で定義される。つまり、図２（Ａ）及び図２（Ｂ）とは、第三列欄の各試験のモードの内容が異なっている。また、第五列欄において、各試験で用いる試験電流値に代えて、各試験で用いる試験電力値を定義する点が異なっている。また、第六列欄において、試験電力の供給方向を定義し、第七列欄において、試験電力を二次電池Ｌに給電する又は放電させるときの二次電池Ｌの電圧値を示す負荷電圧値を定義する点が異なっている。
【００５６】
例えば、実行順「１」が示す一番目に行う試験では、モード「定電力」の試験を実行時間「Ｈ３１」の間実行し、当該試験では試験電力値「Ｐ３１」の試験電力を「−」方向に供給することが定義されている。尚、モード「定電力」は、定電力モードの試験を示している。定電力モードの試験とは、試験者によって指定された試験電力値の試験電力を二次電池Ｌに給電する又は二次電池Ｌに放電させる試験である。即ち、当該試験では、実行時間「Ｈ３１」の間、電力値「Ｐ３１」の試験電力を二次電池Ｌに向かう方向とは逆の「−」方向に供給することで、当該試験電力を二次電池Ｌに放電させる試験を実施することが定義されている。
【００５７】
一方、試験電力を二次電池Ｌに給電する試験パターンは、図２（Ｃ）と同様の表で定義され、試験電力の供給方向（図２（Ｃ）の第六列欄）が「＋」である点だけが異なる。
【００５８】
このように、受付部１１は、試験電力を二次電池Ｌに給電する又は放電させる試験パターンが記載された試験パターンファイルをＲＡＭに記憶することで、試験電流値に代えて、当該試験パターンに含まれる各試験で用いる試験電力値の指定を受け付ける。
【００５９】
図１に参照を戻す。装置設定部１２は、受付部１１が受け付けた試験電流値又は試験電力値と各電源装置９１〜９Ｚの最大電流値Ｍ１〜ＭＺとに基づき、電流を出力させる対象の一以上の電源装置である対象電源装置と、各対象電源装置に出力させる電流の電流値である個別電流値と、を設定する。尚、第一実施形態では、各電源装置９１〜９Ｚの最大電流値Ｍ１〜ＭＺは全て同じであるので、以下では、各電源装置９１〜９Ｚの最大電流値Ｍ１〜ＭＺを最大電流値Ｍと記載する。
【００６０】
具体的には、装置設定部１２は、所定の第二電流値Ｉ２によって試験電流値Ｉｓを除算した結果を示す商（＝Ｉｓ／Ｉ２）を小数点以下で切り上げ、当該切り上げ後の商を対象電源装置の台数Ｎとする。これにより、装置設定部１２は、台数Ｎの電源装置９１〜９Ｎを対象電源装置として設定する。尚、電源装置９１〜９Ｚは同構成であるので、装置設定部１２は、電源装置９１〜９Ｎとは他の台数Ｎの電源装置を対象電源装置として決定してもよい。
【００６１】
また、第一実施形態では、第二電流値Ｉ２は、最大電流値Ｍの半分「２５Ａ」以上且つ最大電流値Ｍ「５０Ａ」以下に予め定められ、不揮発性メモリー等に記憶されているものとする。ただし、これに限らず、第二電流値Ｉ２は、最大電流値Ｍの半分「２５Ａ」未満であってもよい。
【００６２】
そして、装置設定部１２は、台数Ｎによって試験電流値Ｉｓを除算した結果を示す商（＝Ｉｓ／Ｎ）を、各対象電源装置９ｎ（ｎ＝１〜Ｎ）の個別電流値Ｉｒｎ（ｎ＝１〜Ｎ）として設定する。
【００６３】
例えば、受付部１１が受け付けた試験電流値Ｉｓが「８０Ａ」であり、第二電流値Ｉ２が「４５Ａ」であるとする。この場合、装置設定部１２は、第二電流値Ｉ２「４５Ａ」によって試験電流値Ｉｓ「８０Ａ」を除算した結果を示す商（＝１．７・・・）を小数点以下で切り上げた後の商である「２」を対象電源装置の台数Ｎとする。これにより、装置設定部１２は、台数Ｎ「２」の電源装置９１、９２を対象電源装置とする。そして、装置設定部１２は、台数Ｎ「２」によって試験電流値Ｉｓ「８０Ａ」を除算した結果を示す商（＝４０Ａ）を、各対象電源装置９１、９２の個別電流値Ｉｒ１、Ｉｒ２とする。
【００６４】
回路設定部１３は、各対象電源装置９ｎの個別電流値Ｉｒｎが、所定の第一電流値Ｉ１以下である場合、当該個別電流値Ｉｒｎを、当該対象電源装置９ｎの第一電源回路９ｎ１に出力させる電流の電流値Ｉｒｎ＿１として設定する。この場合、回路設定部１３は、当該対象電源装置９ｎの第二電源回路９ｎ２に出力させる電流の電流値Ｉｒｎ＿２を「０Ａ」に設定し、当該第二電源回路９ｎ２に電流を出力させない。
【００６５】
尚、第一実施形態では、第一電流値Ｉ１は、第一最大電流値Ｍ１１の半分「２．５Ａ」以上且つ第一最大電流値Ｍ１１「５Ａ」以下に予め定められ、不揮発性メモリー等に記憶されているものとする。ただし、これに限らず、第一電流値Ｉ１は、第一最大電流値Ｍ１１の半分「２．５Ａ」未満であってもよい。
【００６６】
例えば、対象電源装置９１の個別電流値Ｉｒ１が「３Ａ」であり、第一電流値Ｉ１が「５Ａ」であったとする。この場合、回路設定部１３は、対象電源装置９１の個別電流値Ｉｒ１「３Ａ」が第一電流値Ｉ１「５Ａ」以下であるので、当該個別電流値Ｉｒ１「３Ａ」を対象電源装置９１の第一電源回路９１１に出力させる電流の電流値Ｉｒ１＿１として設定する。
【００６７】
一方、各対象電源装置９ｎの個別電流値Ｉｒｎが第一電流値Ｉ１よりも大きいとする。この場合、回路設定部１３は、各対象電源装置９ｎが備える第一電源回路９ｎ１の第一最大電流値Ｍｎ１「５Ａ」及び各対象電源装置９ｎが備える第二電源回路９ｎ２の第二最大電流値Ｍｎ２「４５Ａ」によって、当該個別電流値Ｉｒｎをそれぞれ比例配分する。そして、回路設定部１３は、当該比例配分によって得られた各電流値「Ｉｒｎ×５Ａ／（５Ａ＋４５Ａ）」、「Ｉｒｎ×４５Ａ／（５Ａ＋４５Ａ）」を、第一電源回路９ｎ１及び第二電源回路９ｎ２のそれぞれに出力させる電流の電流値Ｉｒｎ＿１、Ｉｒｎ＿２として設定する。
【００６８】
例えば、対象電源装置９１の個別電流値Ｉｒ１が「３０Ａ」であり、第一電流値Ｉ１が「５Ａ」であったとする。この場合、回路設定部１３は、対象電源装置９１の個別電流値Ｉｒ１「３０Ａ」が第一電流値Ｉ１「５Ａ」よりも大きいので、第一最大電流値Ｍ１１「５Ａ」及び第二最大電流値Ｍ１２「４５Ａ」によって当該個別電流値Ｉｒ１「３０Ａ」をそれぞれ比例配分して得られる各電流値「３Ａ（＝３０Ａ×５Ａ／（５Ａ＋４５Ａ））」、「２７Ａ（＝３０Ａ×４５Ａ／（５Ａ＋４５Ａ））」を、対象電源装置９１の第一電源回路９１１及び第二電源回路９１２のそれぞれに出力させる電流の電流値Ｉｒ１＿１、Ｉｒ１＿２として設定する。
【００６９】
実行部１４は、ＲＡＭに記憶されている試験パターンファイルに記載の試験パターンを参照し、当該試験パターンで定義されている各試験を実行順に実行する。また、実行部１４は、各試験の実行中に検出部５０により検出された二次電池Ｌの出力電圧の電圧値及び出力電流の電流値を順次記憶部４０に記憶する。
【００７０】
以下では、試験装置１の動作について説明する。図３は、第一実施形態における試験装置１の動作を示すフローチャートである。
【００７１】
図３に示すように、受付部１１によって試験の実行指示が受け付けられると（Ｓ１）、装置設定部１２は、ＲＡＭに記憶されている試験パターンファイルに記載の試験パターンを参照し、実行対象の試験が定電流モードの試験であるか否かを判定する（Ｓ２）。
【００７２】
例えば、図２（Ａ）に示す試験パターンが記載された試験パターンファイルがＲＡＭに記憶されていたとする。また、当該試験パターンで定義されている何れの試験も実行されておらず、実行対象の試験が実行順「１」の試験であるとする。この場合、装置設定部１２は、実行順「１」の試験で行う試験の種類を示すモードが「定電流」であるので、当該試験が定電流モードの試験であると判定する（Ｓ２；ＹＥＳ）。
【００７３】
一方、図２（Ｃ）に示す試験パターンが記載された試験パターンファイルがＲＡＭに記憶されており、また、実行対象の試験が実行順「１」の試験であるとする。この場合、装置設定部１２は、実行順「１」の試験で行う試験の種類を示すモードが「定電力」であるので、当該試験が定電力モードの試験であると判定する（Ｓ２；ＮＯ）。
【００７４】
装置設定部１２は、実行対象の試験が定電力モードの試験であると判定した場合（Ｓ２；ＮＯ）、ステップＳ２で参照した試験パターンで定義されている負荷電圧値ＶＬによって、当該試験パターンで定義されている、当該試験の試験電力値Ｐｓを除算した結果を示す商（＝Ｐｓ／ＶＬ）を当該試験で用いる試験電流値Ｉｓとする（Ｓ３）。
【００７５】
例えば、図２（Ｃ）に示す試験パターンが記載された試験パターンファイルがＲＡＭに記憶されており、また、実行対象の試験が実行順「１」の試験であるとする。この場合、装置設定部１２は、当該試験パターンで定義されている負荷電圧値ＶＬ「Ｖ３」によって、実行順「１」の試験の試験電力値Ｐｓ「Ｐ３１」を除算する。そして、装置設定部１２は、当該除算結果を示す商（＝Ｐ３１／Ｖ３）を当該試験で用いる試験電流値Ｉｓとする。
【００７６】
装置設定部１２は、ステップＳ２で実行対象の試験が定電流モードの試験であると判定した後（Ｓ２；ＹＥＳ）、及び、ステップＳ３の実行後、上述のように、第二電流値Ｉ２によって実行対象の試験の試験電流値Ｉｓを除算した結果を示す商（＝Ｉｓ／Ｉ２）を小数点以下で切り上げ、当該切り上げ後の商を対象電源装置の台数Ｎとする。これにより、装置設定部１２は、台数Ｎの電源装置９１〜９Ｎを対象電源装置として設定する（Ｓ４）。
【００７７】
そして、装置設定部１２は、ステップＳ４で算出した台数Ｎによって、試験電流値Ｉｓを除算した結果を示す商（＝Ｉｓ／Ｎ）を、各対象電源装置９ｎの個別電流値Ｉｒｎとして設定する（Ｓ５）。
【００７８】
次に、回路設定部１３は、各対象電源装置９ｎの個別電流値Ｉｒｎが第一電流値Ｉ１以下であるか否かを判定する（Ｓ６）。回路設定部１３は、各対象電源装置９ｎの個別電流値Ｉｒｎが第一電流値Ｉ１以下であると判定した場合（Ｓ６；ＹＥＳ）、当該個別電流値Ｉｒｎを、各対象電源装置９ｎの第一電源回路９ｎ１に出力させる電流の電流値Ｉｒｎ＿１として設定する。また、回路設定部１３は、各対象電源装置９ｎの第二電源回路９ｎ２に出力させる電流の電流値Ｉｒｎ＿２を「０Ａ」に設定する（Ｓ７）。
【００７９】
一方、回路設定部１３は、各対象電源装置９ｎの個別電流値Ｉｒｎが第一電流値Ｉ１よりも大きいと判定した場合（Ｓ６；ＮＯ）、第一最大電流値Ｍｎ１及び第二最大電流値Ｍｎ２によって当該個別電流値Ｉｒｎをそれぞれ比例配分して得られる各電流値「Ｉｒｎ×Ｍｎ１／（Ｍｎ１＋Ｍｎ２）」、「Ｉｒｎ×Ｍｎ２／（Ｍｎ１＋Ｍｎ２）」を、対象電源装置９ｎの第一電源回路９ｎ１及び第二電源回路９ｎ２のそれぞれに出力させる電流の電流値Ｉｒｎ＿１、Ｉｒｎ＿２として設定する（Ｓ８）。
【００８０】
そして、実行部１４は、装置設定部１２により設定された各対象電源装置９ｎの第一電源回路９ｎ１及び第二電源回路９ｎ２のそれぞれに、回路設定部１３により設定された電流値Ｉｒｎ＿１、Ｉｒｎ＿２の電流の出力を開始させる。また、実行部１４は、検出部５０により検出された二次電池Ｌの出力電圧の電圧値及び出力電流の電流値を順次記憶部４０に記憶する処理を開始する。これにより、実行部１４は、実行対象の試験を開始する（Ｓ９）。
【００８１】
そして、実行部１４は、ＲＡＭに記憶されている試験パターンファイルに記載の試験パターンを参照し、ステップＳ９で試験を開始した後、当該試験パターンで定義されている当該試験の実行時間が経過していない間は（Ｓ１０；ＮＯ）、当該試験をそのまま継続する。
【００８２】
その後、実行部１４は、当該試験の実行時間が経過すると（Ｓ１０；ＹＥＳ）、ステップＳ９で開始した各対象電源装置９ｎの第一電源回路９ｎ１及び第二電源回路９ｎ２の出力を停止させ、参照中の試験パターンにおいて、当該試験の次の実行順の試験が存在するか否かを判定する（Ｓ１１）。
【００８３】
実行部１４は、次の実行順の試験が存在すると判定した場合（Ｓ１１；ＹＥＳ）、当該次の実行順の試験を実行対象の試験とし、処理をステップＳ２に移行する。一方、実行部１４は、次の実行順の試験が存在しないと判定した場合（Ｓ１１；ＮＯ）、所定の終了処理を終了後、処理を終了する。尚、終了処理には、検出部５０により検出された二次電池Ｌの出力電圧の電圧値及び出力電流の電流値を記憶する処理を終了する処理、ＲＡＭに記憶されている試験パターンファイルを削除する処理等が含まれる。
【００８４】
以下、第一実施形態の構成における各試験の実行例について図４を用いて説明する。図４は、第一実施形態における各試験の試験電流値Ｉｓと各電源回路の出力電流の電流値との関係の一例を示す図である。
【００８５】
以下の説明では、第一電流値Ｉ１は「５Ａ」、第二電流値Ｉ２は「４５Ａ」であるとする。また、図４に示すように、ステップＳ４（図３）の実行直前において、実行順「１」〜「３」の各試験で用いる試験電流値Ｉｓは、「３Ａ」、「３０Ａ」、「８０Ａ」であるとする。
【００８６】
（１）実行順「１」の試験を実行するときは、試験電流値Ｉｓ「３Ａ」を第二電流値Ｉ２「４５Ａ」で除算した結果を小数点以下で切り上げた後の商「１」が、対象電源装置の台数Ｎとされる。そして、台数Ｎ「１」の電源装置９１が対象電源装置として設定される（Ｓ４）。また、試験電流値Ｉｓ「３Ａ」を台数Ｎ「１」で除算した結果「３Ａ」が、対象電源装置９１の個別電流値Ｉｒ１として設定される（Ｓ５）。
【００８７】
個別電流値Ｉｒ１「３Ａ」は、第一電流値Ｉ１「５Ａ」以下であるので（Ｓ６；ＹＥＳ）、図４に示すように、対象電源装置９１の第一電源回路９１１の出力電流の電流値Ｉｒ１＿１は、個別電流値Ｉｒ１「３Ａ」に設定され、第二電源回路９１２の出力電流の電流値Ｉｒ１＿２は、「０Ａ」に設定される（Ｓ７）。
【００８８】
（２）実行順「２」の試験を実行するときは、試験電流値Ｉｓ「３０Ａ」を第二電流値Ｉ２「４５Ａ」で除算した結果を小数点以下で切り上げた後の商「１」が対象電源装置の台数Ｎとされる。そして、台数Ｎ「１」の電源装置９１が対象電源装置として設定される（Ｓ４）。また、試験電流値Ｉｓ「３０Ａ」を台数Ｎ「１」で除算した結果「３０Ａ」が、対象電源装置９１の個別電流値Ｉｒ１として設定される（Ｓ５）。
【００８９】
個別電流値Ｉｒ１「３０Ａ」は、第一電流値Ｉ１「５Ａ」よりも大きい（Ｓ６；ＮＯ）。このため、図４に示すように、対象電源装置９１の第一及び第二電源回路９１１、９１２のそれぞれの出力電流の電流値Ｉｒ１＿１、Ｉｒ１＿２は、第一最大電流値Ｍ１１「５Ａ」及び第二最大電流値Ｍ１２「４５Ａ」によって個別電流値Ｉｒ１「３０Ａ」を比例配分して得られる「３Ａ」、「２７Ａ」に設定される（Ｓ８）。
【００９０】
（３）実行順「３」の試験を実行するときは、試験電流値Ｉｓ「８０Ａ」を第二電流値Ｉ２「４５Ａ」で除算した結果を小数点以下で切り上げた後の商「２」が対象電源装置の台数Ｎとされる。そして、台数Ｎ「２」の電源装置９１、９２が対象電源装置として設定される（Ｓ４）。また、試験電流値Ｉｓ「８０Ａ」を台数Ｎ「２」で除算した結果「４０Ａ」が、対象電源装置９１、９２の個別電流値Ｉｒ１、Ｉｒ２として設定される（Ｓ５）。
【００９１】
個別電流値Ｉｒ１、Ｉｒ２「４０Ａ」は、第一電流値Ｉ１「５Ａ」よりも大きい（Ｓ６；ＮＯ）。このため、図４に示すように、対象電源装置９１の第一及び第二電源回路９１１、９１２のそれぞれの出力電流の電流値Ｉｒ１＿１、Ｉｒ１＿２は、第一最大電流値Ｍ１１「５Ａ」及び第二最大電流値Ｍ１２「４５Ａ」によって個別電流値Ｉｒ１「４０Ａ」を比例配分して得られる「４Ａ」、「３６Ａ」に設定される。同様に、対象電源装置９２の第一及び第二電源回路９２１、９２２のそれぞれの出力電流の電流値Ｉｒ２＿１、Ｉｒ２＿２も、「４Ａ」、「３６Ａ」に設定される（Ｓ８）。
【００９２】
第一実施形態の構成によれば、以下に示す効果が得られる。
【００９３】
（１）第一実施形態の構成によれば、試験電流値Ｉｓ及び各電源装置９ｎの最大電流値Ｍｎとに基づき、対象電源装置と各対象電源装置９ｎに出力させる電流の電流値である個別電流値Ｉｒｎとが設定される。このため、試験者は、従来のような対象電源装置及び当該対象電源装置９ｎの個別電流値Ｉｒｎを指定する手間をかけずに、試験電流を二次電池Ｌに入出力させる試験を迅速に実施することができる。
【００９４】
また、第一及び第二電源回路９ｎ１、９ｎ２を備える電源装置９ｎが対象電源装置として設定され、当該対象電源装置９ｎの個別電流値Ｉｒｎが第一最大電流値Ｍｎ１以下の所定の第一電流値Ｉ１以下である場合は、第一電源回路９ｎ１のみによって個別電流値Ｉｒｎの電流が出力される。
【００９５】
このため、第一電源回路９ｎ１のみによって出力可能な個別電流値Ｉｒｎの電流を当該対象電源装置９ｎに出力させるために、第一及び第二電源回路９ｎ１、９ｎ２が各自の最大電流値Ｍｎ１、Ｍｎ２からかけ離れた小さい電流値の電流を出力する虞を軽減することができる。これにより、第一及び第二電源回路９ｎ１、９ｎ２が最適化された状態ではない、応答速度及び出力精度の低下した状態で、電流を出力する虞を軽減することができる。その結果、精度の良い試験が実施できなくなる虞を軽減することができる。
【００９６】
一方、当該対象電源装置９ｎの個別電流値Ｉｒｎが第一電流値Ｉ１よりも大きい場合、第一及び第二電源回路９ｎ１、９ｎ２の最大電流値Ｍｎ１、Ｍｎ２によって個別電流値Ｉｒｎを比例配分して得られる各電流値Ｉｒｎ＿１、Ｉｒｎ＿２の電流が第一及び第二電源回路９ｎ１、９ｎ２によってそれぞれ出力される。
【００９７】
このため、第一及び第二電源回路９ｎ１、９ｎ２が電流を出力するときの動作負荷が均一となり、各電源回路９ｎ１、９ｎ２の応答速度及び出力精度が均一となる。これにより、第一及び第二電源回路９ｎ１、９ｎ２の出力電流を合流させた試験電流の電流値が試験電流値Ｉｓになるまでの応答時間を短縮し、且つ、滑らかに変化する精度の良い試験電流を二次電池Ｌに入出力させることができる。その結果、精度の良い試験を実施することができる。
【００９８】
（２）第一実施形態の構成によれば、第一及び第二電源回路９ｎ１、９ｎ２を備える電源装置９ｎが対象電源装置として設定された場合に、当該電源装置９ｎの個別電流値Ｉｒｎが第一電流値Ｉ１の下限値である第一最大電流値Ｍｎ１の半分以下であるときは、第二電源回路９ｎ２に電流を出力させず、第一電源回路９ｎ１のみに電流を出力させることができる。
【００９９】
これにより、第一電流値Ｉ１の下限値である第一最大電流値Ｍｎ１の半分以下の個別電流値Ｉｒｎを当該電源装置９ｎに出力させるために、第一及び第二電源回路９ｎ１、９ｎ２が各自の最大電流値Ｍｎ１、Ｍｎ２からかけ離れた小さい電流値の電流を出力する虞を軽減することができる。その結果、第一及び第二電源回路９ｎ１、９ｎ２が応答速度及び出力精度の低下した状態で電流を出力する虞を軽減することができる。
【０１００】
（３）第一実施形態の構成によれば、試験電流値Ｉｓを第二電流値Ｉ２で除算した結果を示す商を小数点以下で切り上げるだけで、迅速に対象電源装置の台数Ｎを算出することができる。これにより、当該台数Ｎの対象電源装置を迅速に設定することができる。また、当該台数Ｎによって試験電流値Ｉｓを除算するだけで、当該設定された各対象電源装置９ｎの個別電流値Ｉｒｎを迅速に算出することができる。
【０１０１】
また、各対象電源装置９ｎの個別電流値Ｉｒｎは、試験電流値Ｉｓを第二電流値Ｉ２で除算した結果以上の値によって試験電流値Ｉｓを除算した結果を示す商であるため、必ず第二電流値Ｉ２以下となる。つまり、本構成によれば、各対象電源装置９ｎの個別電流値Ｉｒｎが、第二電流値Ｉ２の上限値である当該各対象電源装置９ｎの最大電流値よりも大きい値にならないよう、各対象電源装置９ｎの個別電流値Ｉｒｎを適切に設定することができる。
【０１０２】
（４）上述のように、対象電源装置の台数Ｎは、試験電流値Ｉｓを第二電流値Ｉ２で除算した結果を小数点以下で切り上げた値となる。つまり、第二電流値Ｉ２が大きい程、対象電源装置の台数Ｎは少なくなる。また、対象電源装置の個別電流値Ｉｒｎは、対象電源装置の台数Ｎによって試験電流値Ｉｓを除算した結果として算出されるので、対象電源装置の台数Ｎが少ない程、当該個別電流値Ｉｒｎは大きくなる。
【０１０３】
第一実施形態の構成によれば、第二電流値Ｉ２が各電源装置９ｎの最大電流値Ｍｎの半分以上且つ当該最大電流値Ｍｎ以下であるので、第二電流値Ｉ２が当該最大電流値Ｍｎの半分未満である場合に比して、対象電源装置の台数Ｎを少なくすることができる。これにより、第二電流値Ｉ２が上記最大電流値Ｍｎの半分未満である場合に比して、対象電源装置の個別電流値を大きくすることができる。その結果、第二電流値Ｉ２が上記最大電流値Ｍｎの半分未満である場合に比して最適な状態に近い状態で、各対象電源装置９ｎに個別電流値Ｉｒｎの電流を出力させることができる。
【０１０４】
（５）第一実施形態の構成によれば、試験電流値Ｉｓに代えて試験電力値Ｐｓが指定された場合でも、当該指定された試験電力値Ｐｓを所定の負荷電圧値ＶＬで除算した結果を試験電流値Ｉｓとし、当該試験電流値Ｉｓの試験電流を二次電池Ｌに入出力させる試験を実施することができる。つまり、当該試験電流値Ｉｓの試験電流を、負荷電圧値ＶＬの電圧で動作すると考えられる二次電池Ｌに入出力させることで、当該試験電流値Ｉｓと負荷電圧値ＶＬとの積が示す試験電力値Ｐｓの電力を当該二次電池Ｌに給電する又は放電させる試験を実施することができる。
【０１０５】
以上の通り、第一実施形態の構成によれば、試験電流を二次電池Ｌに入出力（充放電）させる試験を迅速且つ精度良く実施することができる。
【０１０６】
(第二実施形態）
第一実施形態では、電源部９０が、同構成の複数の電源装置９１〜９Ｚを備え、各電源装置９ｎが第一電源回路９ｎ１及び第二電源回路９ｎ２を備える構成であった。しかし、これに代えて、電源部９０が、互いに最大電流値の異なる複数の電源装置を備え、また、各電源装置がそれぞれ異なる数の電源回路を備えていてもよい。
【０１０７】
第二実施形態では、上記構成を代表して、電源部９０が、最大電流値がそれぞれ「５０Ａ」、「１００Ａ」、「１５０Ａ」の三台の電源装置９１、９２、９３を備える構成について説明する。また、当該電源装置９１は、最大電流値がそれぞれ「０．５Ａ」、「４．５Ａ」、「４５Ａ」の三台の電源回路９１１、９１２、９１３を備えているものとする。当該電源装置９２は、最大電流値が「１００Ａ」の電源回路９２１のみ備え、当該電源装置９３は、最大電流値が「１５０Ａ」の電源回路９３１のみ備えているものとする。
【０１０８】
第二実施形態では、第一実施形態で説明したステップＳ４〜Ｓ８（図３）に代えて、図５に示すステップＳ２１〜Ｓ２８が行われる。図５は、第二実施形態における試験装置１の動作を示すフローチャートである。
【０１０９】
先ず、装置設定部１２は、ステップＳ２１〜Ｓ２３によって、試験電流値Ｉｓと各電源装置９１〜９３の最大電流値に基づき、対象電源装置を一台ずつ順次設定する。
【０１１０】
具体的には、装置設定部１２は、対象電源装置として既に設定した電源装置（以下、設定済電源装置）の最大電流値の総和Ｚ２と、所定の第二比率Ｒ２と、の積（＝Ｚ２×Ｒ２）を算出し、当該算出した積を第二電流値Ｉ２として設定する（Ｓ２１）。尚、第二比率Ｒ２は、１以下の値に定められ、予め不揮発性メモリー等に記憶されている。そして、装置設定部１２は、試験電流値Ｉｓが第二電流値Ｉ２以下であるか否かを判定する（Ｓ２２）。
【０１１１】
装置設定部１２は、試験電流値Ｉｓが第二電流値Ｉ２よりも大きいと判定した場合は（Ｓ２２；ＮＯ）、設定済電源装置を除いた電源装置９１〜９３の中で最大電流値が最小の電源装置（以下、最小電源装置）を対象電源装置として設定した後（Ｓ２３）、ステップＳ２１を繰り返す。その後、装置設定部１２は、試験電流値Ｉｓが第二電流値Ｉ２以下であると判定すると（Ｓ２２；ＹＥＳ）、対象電源装置９ｎの設定を終了する。
【０１１２】
次に、装置設定部１２は、ステップＳ２４によって、各対象電源装置９ｎの個別電流値Ｉｒｎを設定する。具体的には、ステップＳ２４において、装置設定部１２は、各対象電源装置９ｎの最大電流値Ｍｎによって、試験電流値Ｉｓを比例配分する。そして、装置設定部１２は、当該比例配分によって得られた各電流値（＝Ｉｓ×Ｍｎ／Ｚ２）を、各対象電源装置９ｎの個別電流値Ｉｒｎとして設定する（Ｓ２４）。
【０１１３】
次に、回路設定部１３は、各対象電源装置９ｎについて、ステップＳ２５〜Ｓ２７を行うことにより、各対象電源装置９ｎの個別電流値Ｉｒｎと、各対象電源装置９ｎが備える各電源回路９ｎｋ（ｋ≧１）の最大電流値Ｍｎｋと、に基づき、各対象電源装置９ｎにおいて電流を出力させる対象の一以上の電源回路（以下、対象電源回路）を一台ずつ順次設定する。
【０１１４】
具体的には、ステップＳ２５において、回路設定部１３は、ある一台の対象電源装置９ｎについて、当該対象電源装置９ｎの対象電源回路として既に設定した電源回路（以下、設定済電源回路）の最大電流値の総和Ｚ１と、所定の第一比率Ｒ１と、の積（＝Ｚ１×Ｒ１）を算出する。そして、回路設定部１３は、当該算出した積を第一電流値Ｉ１として設定する（Ｓ２５）。尚、第一比率Ｒ１は、１以下の値に定められ、予め不揮発性メモリー等に記憶されている。そして、回路設定部１３は、当該対象電源装置９ｎの個別電流値Ｉｒｎが第一電流値Ｉ１以下であるか否かを判定する（Ｓ２６）。
【０１１５】
回路設定部１３は、個別電流値Ｉｒｎが第一電流値Ｉ１よりも大きいと判定した場合（Ｓ２６；ＮＯ）、当該対象電源装置９ｎが備える電源回路９ｎｋのうち、設定済電源回路を除いた電源回路９ｎｋの中で、最大電流値が最小の電源回路（以下、最小電源回路）を、対象電源回路として設定した後（Ｓ２７）、ステップＳ２５を繰り返す。
【０１１６】
一方、回路設定部１３は、当該対象電源装置９ｎの個別電流値Ｉｒｎが第一電流値Ｉ１以下であると判定した場合（Ｓ２６；ＹＥＳ）、当該対象電源装置９ｎについての対象電源回路の設定を終了する。
【０１１７】
そして、対象電源回路の設定を終了していない対象電源装置９ｎが存在する場合（Ｓ２８；ＮＯ）、回路設定部１３は、ステップＳ２５に戻って、他の一台の対象電源装置９ｎについて、対象電源回路の設定を行う（Ｓ２５〜Ｓ２７）。そして、全ての対象電源装置９ｎについての対象電源回路の設定を終了すると（Ｓ２８；ＹＥＳ）、回路設定部１３は、各対象電源装置９ｎについて、ステップＳ２９を行うことにより、各対象電源装置９ｎの各対象電源回路９ｎｋに出力させる電流の電流値Ｉｒｎ＿ｋを設定する。
【０１１８】
具体的には、回路設定部１３は、ステップＳ２９において、ある一台の対象電源装置９ｎの各対象電源回路９ｎｋの最大電流値Ｍｎｋによって、当該対象電源装置９ｎの個別電流値Ｉｒｎを比例配分する。そして、回路設定部１３は、当該比例配分によって得られた各電流値（＝Ｉｒｎ×Ｍｎｋ／Ｚ１）を、当該対象電源装置９ｎの各対象電源回路９ｎｋに出力させる電流の電流値Ｉｒｎ＿ｋとして設定する（Ｓ２９）。
【０１１９】
そして、各対象電源回路９ｎｋに出力させる電流の電流値Ｉｒｎ＿ｋの設定を終了していない対象電源装置９ｎが存在する場合（Ｓ３０；ＮＯ）、回路設定部１３は、ステップＳ２９に戻って、他の一台の対象電源装置９ｎの各対象電源回路９ｎｋに出力させる電流の電流値Ｉｒｎ＿ｋを設定する（Ｓ２９）。そして、全ての対象電源装置９ｎについて、各対象電源回路９ｎｋに出力させる電流の電流値Ｉｒｎ＿ｋの設定が終了すると（Ｓ３０；ＹＥＳ）、ステップＳ９が行われる。
【０１２０】
以下、第二実施形態の構成における試験の実行例について図６を用いて説明する。図６は、第二実施形態における試験の試験電流値Ｉｓと各電源回路の出力電流の電流値との関係の一例を示す図である。尚、以下の説明では、第一比率及び第二比率が共に「０．９」であるとする。また、図６に示すように、ステップＳ２１の実行直前で試験電流値Ｉｓが「１８０Ａ」であったとする。
【０１２１】
この場合、装置設定部１２は、最初のステップＳ２１では、設定済電源装置が存在しておらず、設定済電源装置の最大電流値の総和Ｚ２が０であるので、第二電流値Ｉ２を０に設定する（Ｓ２１）。この場合、試験電流値Ｉｓ「１８０Ａ」が第二電流値Ｉ２「０」より大きいので（Ｓ２２；ＮＯ）、装置設定部１２は、電源装置９１〜９３の中で最大電流値が最小の「５０Ａ」である最小電源装置９１を対象電源装置として設定する（Ｓ２３）。これにより、設定済電源装置は、電源装置９１の一台となる。その結果、設定済電源装置の最大電流値の総和Ｚ２が、電源装置９１の最大電流値Ｍ１「５０Ａ」となる。
【０１２２】
次に、装置設定部１２は、再度ステップＳ２１を実行し、設定済電源装置の最大電流値の総和Ｚ２「５０Ａ」と第二比率Ｒ２「０．９」との積（＝４５Ａ）を第二電流値Ｉ２とする（Ｓ２１）。この場合、試験電流値Ｉｓ「１８０Ａ」が第二電流値Ｉ２「４５Ａ」より大きいので（Ｓ２２；ＮＯ）、装置設定部１２は、設定済電源装置９１を除いた電源装置９２、９３の中で最大電流値が最小の「１００Ａ」である最小電源装置９２を対象電源装置として設定する（Ｓ２３）。これにより、設定済電源装置は、電源装置９１と電源装置９２の二台となる。その結果、設定済電源装置の最大電流値の総和Ｚ２は、電源装置９１の最大電流値Ｍ１「５０Ａ」と電源装置９２の最大電流値Ｍ２「１００Ａ」との和である「１５０Ａ」となる。
【０１２３】
次に、装置設定部１２は、再度ステップＳ２１を実行し、設定済電源装置の最大電流値の総和Ｚ２「１５０Ａ」と第二比率Ｒ２「０．９」との積（＝１３５Ａ）を第二電流値Ｉ２とする（Ｓ２１）。この場合、試験電流値Ｉｓ「１８０Ａ」が第二電流値Ｉ２「１３５Ａ」より大きいので（Ｓ２２；ＮＯ）、装置設定部１２は、設定済電源装置９１、９２を除いた電源装置９３の中で最大電流値が最小の「１５０Ａ」である最小電源装置９３を対象電源装置として設定する（Ｓ２３）。これにより、設定済電源装置は、電源装置９１、電源装置９２、及び電源装置９３の三台となる。その結果、設定済電源装置の最大電流値の総和Ｚ２は、電源装置９１の最大電流値Ｍ１「５０Ａ」と電源装置９２の最大電流値Ｍ２「１００Ａ」と電源装置９３の最大電流値Ｍ３「１５０Ａ」との和である「３００Ａ」となる。
【０１２４】
次に、装置設定部１２は、再度ステップＳ２１を実行し、設定済電源装置の最大電流値の総和Ｚ２「３００Ａ」と第二比率Ｒ２「０．９」との積（＝２７０Ａ）を第二電流値Ｉ２とする（Ｓ２１）。この場合、試験電流値Ｉｓ「１８０Ａ」が第二電流値Ｉ２「２７０Ａ」以下になったので（Ｓ２２；ＹＥＳ）、装置設定部１２は、対象電源装置９ｎの設定を終了する。
【０１２５】
そして、装置設定部１２は、ステップＳ２４を実行し、各対象電源装置９１、９２、９３の個別電流値Ｉｒ１、Ｉｒ２、Ｉｒ３を設定する。具体的には、装置設定部１２は、当該ステップＳ２４において、各対象電源装置９１、９２、９３の最大電流値Ｍ１「５０Ａ」、Ｍ２「１００Ａ」、Ｍ３「１５０Ａ」によって、試験電流値Ｉｓ「１８０Ａ」を比例配分する。そして、装置設定部１２は、当該比例配分によって得られた各電流値「３０Ａ（＝１８０Ａ×５０Ａ／３００Ａ）」、「６０Ａ（＝１８０Ａ×１００Ａ／３００Ａ）」、「９０Ａ（＝１８０Ａ×１５０Ａ／３００Ａ）」を、各対象電源装置９１、９２、９３の個別電流値Ｉｒ１、Ｉｒ２、Ｉｒ３として設定する（Ｓ２４）。
【０１２６】
次に、回路設定部１３は、各対象電源装置９１、９２、９３について、ステップＳ２５〜Ｓ２７を行うことにより、各対象電源装置９１、９２、９３の対象電源回路を設定する。
【０１２７】
先ず、回路設定部１３は、対象電源装置９１についての対象電源回路の設定を行う。この場合、回路設定部１３は、最初のステップＳ２５では、設定済電源回路が存在しておらず、設定済電源回路の最大電流値の総和Ｚ１が０であるので、第一電流値Ｉ１を０に設定する（Ｓ２５）。この場合、対象電源装置９１の個別電流値Ｉｒ１「３０Ａ」が第一電流値Ｉ１「０」より大きいので（Ｓ２６；ＮＯ）、回路設定部１３は、対象電源装置９１が備える電源回路９１１〜９１３の中で、最大電流値が最小の「０．５Ａ」である最小電源回路９１１を対象電源回路として設定する（Ｓ２７）。これにより、設定済電源回路は、電源回路９１１の一台となる。その結果、設定済電源回路の最大電流値の総和Ｚ１は、電源回路９１１の最大電流値Ｍ１１「０．５Ａ」となる。
【０１２８】
次に、回路設定部１３は、再度ステップＳ２５を実行し、設定済電源回路の最大電流値の総和Ｚ２「０．５Ａ」と第一比率Ｒ１「０．９」との積（＝０．４５Ａ）を第一電流値Ｉ１とする（Ｓ２５）。この場合、対象電源装置９１の個別電流値Ｉｒ１「３０Ａ」が第一電流値Ｉ１「０．４５Ａ」より大きいので（Ｓ２６；ＮＯ）、回路設定部１３は、設定済電源回路９１１を除いた電源回路９１２、９１３の中で最大電流値が最小の「４．５Ａ」である最小電源回路９１２を対象電源回路として設定する（Ｓ２７）。これにより、設定済電源回路は、電源回路９１１と電源回路９１２の二台となる。その結果、設定済電源回路の最大電流値の総和Ｚ１は、電源回路９１１の最大電流値Ｍ１１「０．５Ａ」と電源回路９１２の最大電流値Ｍ１２「４．５Ａ」との和である「５Ａ」となる。
【０１２９】
次に、回路設定部１３は、再度ステップＳ２５を実行し、設定済電源回路の最大電流値の総和Ｚ１「５Ａ」と第一比率Ｒ１「０．９」との積（＝４．５Ａ）を第一電流値Ｉ１とする（Ｓ２５）。この場合、対象電源装置９１の個別電流値Ｉｒ１「３０Ａ」が第一電流値Ｉ１「４．５Ａ」より大きいので（Ｓ２６；ＮＯ）、回路設定部１３は、設定済電源回路９１１、９１２を除いた電源回路９１３の中で最大電流値が最小の「４５Ａ」である最小電源回路９１３を対象電源回路として設定する（Ｓ２７）。これにより、設定済電源回路は、電源回路９１１、電源回路９１２及び電源回路９１３の三台となる。その結果、設定済電源回路の最大電流値の総和Ｚ１は、電源回路９１１の最大電流値Ｍ１１「０．５Ａ」と電源回路９１２の最大電流値Ｍ１２「４．５Ａ」と電源回路９１３の最大電流値Ｍ１３「４５Ａ」との総和である「５０Ａ」となる。
【０１３０】
次に、回路設定部１３は、再度ステップＳ２５を実行し、設定済電源回路の最大電流値の総和Ｚ１「５０Ａ」と第一比率Ｒ１「０．９」との積（＝４５Ａ）を第一電流値Ｉ１とする（Ｓ２５）。この場合、対象電源装置９１の個別電流値Ｉｒ１「３０Ａ」が第一電流値Ｉ１「４５Ａ」以下になったので（Ｓ２６；ＹＥＳ）、回路設定部１３は、対象電源装置９１についての対象電源回路の設定を終了する。
【０１３１】
そして、対象電源回路の設定を終了していない対象電源装置９２、９３が存在するので（Ｓ２８；ＮＯ）、回路設定部１３は、ステップＳ２５に戻って、対象電源装置９２について、対象電源回路の設定を行う。
【０１３２】
回路設定部１３は、対象電源装置９２について行う最初のステップＳ２５では、上記と同様、設定済電源回路が存在していないので、第一電流値Ｉ１を０とする（Ｓ２５）。この場合、対象電源装置９２の個別電流値Ｉｒ２「６０Ａ」が第一電流値Ｉ１「０」より大きいので（Ｓ２６；ＮＯ）、回路設定部１３は、対象電源装置９２が備える電源回路９２１の中で最大電流値が最小の「１００Ａ」である最小電源回路９２１を対象電源回路として設定する（Ｓ２７）。これにより、設定済電源回路は、電源回路９２１の一台となる。その結果、設定済電源回路の最大電流値の総和Ｚ１は、電源回路９２１の最大電流値Ｍ２１「１００Ａ」となる。
【０１３３】
次に、回路設定部１３は、再度ステップＳ２５を実行し、設定済電源回路の最大電流値の総和Ｚ１「１００Ａ」と第一比率Ｒ１「０．９」との積（＝９０Ａ）を第一電流値Ｉ１とする（Ｓ２５）。この場合、対象電源装置９２の個別電流値Ｉｒ２「６０Ａ」が第一電流値Ｉ１「９０Ａ」以下になったので（Ｓ２６；ＹＥＳ）、回路設定部１３は、対象電源装置９２についての対象電源回路の設定を終了する。
【０１３４】
そして、対象電源回路の設定を終了していない対象電源装置９３が存在するので（Ｓ２８；ＮＯ）、回路設定部１３は、ステップＳ２５に戻って、対象電源装置９３について、対象電源回路の設定を行う。
【０１３５】
回路設定部１３は、対象電源装置９３について行う最初のステップＳ２５では、上記と同様、設定済電源回路が存在していないので、第一電流値Ｉ１を０とする（Ｓ２５）。この場合、対象電源装置９３の個別電流値Ｉｒ３「９０Ａ」が第一電流値Ｉ１「０」より大きいので（Ｓ２６；ＮＯ）、回路設定部１３は、対象電源装置９３が備える電源回路９３１の中で最大電流値が最小の「１５０Ａ」である最小電源回路９３１を対象電源回路として設定する（Ｓ２７）。これにより、設定済電源回路は、電源回路９３１の一台となる。その結果、設定済電源回路の最大電流値の総和Ｚ１は、電源回路９３１の最大電流値Ｍ３１「１５０Ａ」となる。
【０１３６】
次に、回路設定部１３は、再度ステップＳ２５を実行し、設定済電源回路の最大電流値の総和Ｚ１「１５０Ａ」と第一比率Ｒ１「０．９」との積（＝１３５Ａ）を第一電流値Ｉ１とする（Ｓ２５）。この場合、対象電源装置９３の個別電流値Ｉｒ３「９０Ａ」が第一電流値Ｉ１「１３５Ａ」以下になったので（Ｓ２６；ＹＥＳ）、回路設定部１３は、対象電源装置９３についての対象電源回路の設定を終了する。以上により、全ての対象電源装置９１、９２、９３についての対象電源回路の設定が終了する（Ｓ２８；ＹＥＳ）。
【０１３７】
次に、回路設定部１３は、対象電源装置９１の各対象電源回路９１１、９１２、９１３に出力させる電流の電流値Ｉｒ１＿１、Ｉｒ１＿２、Ｉｒ１＿３と、対象電源装置９２の各対象電源回路９２１に出力させる電流の電流値Ｉｒ２＿１と、対象電源装置９３の各対象電源回路９３１に出力させる電流の電流値Ｉｒ３＿１と、を設定する。
【０１３８】
先ず、回路設定部１３は、対象電源装置９１について、ステップＳ２９を行うことにより、対象電源装置９１の各対象電源回路９１１、９１２、９１３に出力させる電流の電流値Ｉｒ１＿１、Ｉｒ１＿２、Ｉｒ１＿３を設定する。
【０１３９】
具体的には、回路設定部１３は、当該ステップＳ２９において、対象電源装置９１の各対象電源回路９１１、９１２、９１３の最大電流値Ｍ１１「０．５Ａ」、Ｍ１２「４．５Ａ」、Ｍ１３「４５Ａ」によって、対象電源装置９１の個別電流値Ｉｒ１「３０Ａ」を比例配分する。そして、回路設定部１３は、当該比例配分によって得られた各電流値「０．３Ａ（＝３０Ａ×０．５Ａ／５０Ａ）」、「２．７Ａ（＝３０Ａ×４．５Ａ／５０Ａ）」、「２７Ａ（＝３０Ａ×４５Ａ／５０Ａ）」を、各対象電源回路９１１、９１２、９１３に出力させる電流値Ｉｒ１＿１、Ｉｒ１＿２、Ｉｒ１＿３として設定する（Ｓ２９）。
【０１４０】
そして、回路設定部１３は、対象電源装置９２の各対象電源回路９２１に出力させる電流の電流値Ｉｒ２＿１及び対象電源装置９３の各対象電源回路９３１に出力させる電流の電流値Ｉｒ３＿１の設定を終了していないので（Ｓ３０；ＮＯ）、ステップＳ２９に戻って、対象電源装置９２の各対象電源回路９２１に出力させる電流の電流値Ｉｒ２＿１を設定する（Ｓ２９）。
【０１４１】
具体的には回路設定部１３は、当該ステップＳ２９において、対象電源装置９２の各対象電源回路９２１の最大電流値Ｍ２１「１００Ａ」によって、個別電流値Ｉｒ２「６０Ａ」を比例配分する。そして、回路設定部１３は、当該比例配分によって得られた各電流値「６０Ａ（＝６０Ａ×１００Ａ／１００Ａ）」を、対象電源装置９２の各対象電源回路９２１に出力させる電流値Ｉｒ２＿１として設定する（Ｓ２９）。
【０１４２】
そして、回路設定部１３は、対象電源装置９３の各対象電源回路９３１に出力させる電流の電流値Ｉｒ３＿１の設定を終了していないので（Ｓ３０；ＮＯ）、ステップＳ２９に戻って、対象電源装置９３の各対象電源回路９３１に出力させる電流の電流値Ｉｒ３＿１を設定する（Ｓ２９）。
【０１４３】
回路設定部１３は、当該ステップＳ２９において、対象電源装置９３の各対象電源回路９３１の最大電流値Ｍ３１「１５０Ａ」によって、個別電流値Ｉｒ３「９０Ａ」を比例配分する。そして、回路設定部１３は、当該比例配分によって得られた各電流値「９０Ａ（＝９０Ａ×１５０Ａ／１５０Ａ）」を、対象電源装置９３の各対象電源回路９３１に出力させる電流値Ｉｒ３＿１として設定する（Ｓ２９）。
【０１４４】
以上により、回路設定部１３は、全ての対象電源装置９１、９２、９３について、各対象電源回路９１１、９１２、９１３、９２１、９３１に出力させる電流の電流値Ｉｒ１＿１、Ｉｒ１＿２、Ｉｒ１＿３、Ｉｒ２＿１、Ｉｒ３＿１の設定を終了する（Ｓ３０；ＹＥＳ）。
【０１４５】
第二実施形態の構成によっても、第一実施形態の構成によって得られる上記の（１）及び（５）の効果と同様の効果を得ることができる。
【０１４６】
(変形実施形態）
尚、上記第一乃び第二実施形態は、本発明に係る実施形態の例示に過ぎず、本発明を上記第一乃び第二実施形態に限定する趣旨ではない。例えば、以下に示す変形実施形態であってもよい。
【０１４７】
（１）電源部９０に、制御部１０と同様、ＣＰＵ、ＲＡＭ、不揮発性メモリー等を備えた構成のスレーブ制御部を設けてもよい。そして、当該スレーブ制御部が回路設定部１３として動作するようにしてもよい。
【０１４８】
（２）試験装置１による試験対象は、上記二次電池Ｌに限らず、他の電気的な負荷であってもよい。
【０１４９】
（３）図２（Ａ）〜（Ｃ）に示す試験パターンは例示に過ぎず、各試験パターンに定電流モードの試験及び定電力モードの試験が混在して定義されていてもよい。
【０１５０】
（４）図２（Ｃ）に示す試験パターンの第七列欄を省略し、試験の実行指示の入力時に、二次電池Ｌの仕様によって定められている下限電圧値等、試験中の二次電池Ｌの電圧値と考えられる電圧値を試験者に入力させるようにしてもよい。これに合わせて、受付部１１が、試験の実行指示を受け付ける時に、当該入力された電圧値を負荷電圧値としてＲＡＭに記憶するようにしてもよい。そして、装置設定部１２が、ステップＳ３（図３）においてＲＡＭに記憶されている当該負荷電圧値を用いるようにしてもよい。
【０１５１】
（５）受付部１１が、定電力モードの試験を含む試験パターンを定義した試験パターンファイルを取得した場合、当該試験パターンファイルをＲＡＭに記憶しないようにしてもよい。つまり、受付部１１が、指定された試験電力値の試験電力を二次電池Ｌに給電する又は放電させる試験の実行指示を受け付けないようにしてもよい。これに合わせて、ステップＳ２、Ｓ３（図３）を省略してもよい。
【０１５２】
（６）受付部１１が、定電流モードの試験を含む試験パターンを定義した試験パターンファイルを取得した場合、当該試験パターンファイルをＲＡＭに記憶しないようにしてもよい。これに合わせて、ステップＳ２（図３）を省略し、受付部１１が、定電力モードの試験だけを含む試験パターンを定義した試験パターンファイルを取得した場合に、当該試験パターンファイルをＲＡＭに記憶し、ステップＳ３以降の処理(図３）を行うようにしてもよい。つまり、受付部１１が、指定された試験電力値の試験電力を二次電池Ｌに給電する又は放電させる試験の実行指示のみを受け付けるようにしてもよい。
【符号の説明】
【０１５３】
１  試験装置
１１  受付部
１２  装置設定部
１３  回路設定部
９０１  切替部（第一合流部）
９１ｘ  合流部（第二合流部）
９ｎ（ｎ≧１）    電源装置
９ｎｋ（ｋ≧１）  電源装置９ｎが備える電源回路
９ｎ１  第一電源回路
９ｎ２  第二電源回路
Ｉ１  第一電流値
Ｉ２  第二電流値
Ｉｒｎ  電源装置９ｎの個別電流値
Ｉｒｎ＿ｋ  電源回路９ｎｋの出力電流の電流値
Ｉｓ  試験電流値
Ｌ  二次電池（負荷）
Ｍｎ  電源装置９ｎの最大電流値
Ｍｎｋ  電源回路９ｎｋの最大電流値
Ｎ  台数
Ｐｓ  試験電力値
ＶＬ  負荷電圧値
【図１】
0006342381.tif 000002
【図２】
0006342381.tif 000003
【図３】
0006342381.tif 000004
【図４】
0006342381.tif 000005
【図５】
0006342381.tif 000006
【図６】
0006342381.tif 000007